【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
電力の供給を受けて特定の処理を実行する処理部、前記処理部の動作指示情報を受け付ける機能並びに前記処理部の動作状態情報を報知する機能を備えたインターフェイス部、認証メディアから使用者を特定する識別情報を取得する識別情報取得部を、相互に連携して管理する管理制御部と、
前記処理部を使用する使用者を含む移動体が予め定めた領域に存在しているか否かを検出する移動体検出手段と、
前記移動体検出手段の検出情報に基づいて、前記処理部、前記インターフェイス部、前記識別情報取得部、並びに前記管理制御部を含むそれぞれの制御対象に対して個別に電力供給状態又は電力遮断状態に遷移させると共に、前記制御対象の全てが電力遮断状態であるとき電力遮断状態から電力供給状態へ遷移させる最初の制御対象を前記識別情報取得部とする電力供給制御手段と、
を有する電力供給制御装置。
【請求項２】
前記移動体検出手段が、それぞれ検出臨界距離が異なる複数の移動体検出手段を備え、
前記電力供給制御手段は、
検出臨界距離が相対的に遠い方の移動体検出手段で移動体を検出した時点で、前記識別情報取得部と共に前記管理制御部を電力供給状態に遷移させ、
前記管理制御部において前記識別情報取得部で取得した識別情報が使用可能であると認証され、かつ、前記検出臨界距離が相対的に近い方の移動体検出手段で移動体を検出した場合に、前記インターフェイス部を電力供給状態に遷移させる請求項１記載の電力供給制御装置。
【請求項３】
前記識別情報取得部が、
電力供給開始時に、前記管理制御部との間で識別情報の通信に関わる機能を確立するための機能確立プログラムが実行され、当該機能の確立後は前記識別情報を送受信可能な待機状態が維持される識別情報送受信制御部と、
前記認証メディアが接触状態又は非接触状態で対峙されるヘッド部が設けられ、当該ヘッド部に認証メディアが対峙されたとき、少なくとも認証メディアに記憶された識別情報を読み取る識別情報読取部とを備え、
前記識別情報送受信制御部及び前記識別情報読取部が、それぞれ個別に電力供給可能とされている請求項１記載の電力供給制御装置。
【請求項４】
前記電力供給制御手段は、
検出臨界距離が相対的に遠い方の移動体検出手段で移動体を検出した時点で、前記識別情報取得部の前記識別情報読取部を電力供給状態に遷移させることで、前記機能確立プログラムを起動して前記管理制御部との間の識別情報の通信に関わる機能を確立し、
検出臨界距離が相対的に近い方の移動体検出手段で移動体を検出した時点で、前記識別情報取得部の前記識別情報読取部を電力供給状態に遷移させることで、前記認証メディアに記憶された識別情報を読み取り可能状態とし、
前記ヘッド部に前記認証メディアが対峙された時点で、前記管理制御部を電力供給状態に遷移させて前記識別情報に基づく認証処理を可能とし、
前記管理制御部における認証処理において使用可能であると認証され、かつ、前記検出臨界距離が相対的に近い方の移動体検出手段で移動体を検出した場合に、前記インターフェイス部を電力供給状態に遷移させる請求項３記載の電力供給制御装置。
【請求項５】
前記請求項１〜請求項４の何れか１項記載の電力供給制御装置を備え、
前記処理部が、原稿画像から画像を読み取る画像読取処理部、画像情報に基づいて記録用紙に画像を形成する画像形成処理部、予め相互に定められた通信手順の下で画像を送受信するファクシミリ通信処理部の２以上の処理部を含み、前記電力供給制御手段により、前記処理部が個別に電力供給状態又は電力遮断状態に遷移するように制御して節電する部分節電手段を有する画像処理装置。
【請求項６】
電力の供給を受けて特定の処理を実行する処理部と、前記処理部の動作指示情報を受け付ける機能並びに前記処理部の動作状態情報を報知する機能を備えたインターフェイス部と、認証メディアから使用者を特定する識別情報を取得する識別情報取得部と、前記処理部と前記インターフェイス部と前記識別情報取得部とを相互に連携して管理する管理制御部と、を含む制御対象に対して個別に電力供給状態又は電力遮断状態に遷移させると共に、前記制御対象の全てが電力遮断状態であるとき電力遮断状態から電力供給状態へ遷移させる最初の制御対象を前記識別情報取得部とする電力供給制御プログラム。
【請求項７】
前記制御対象に対する個別の電力供給状態又は電力遮断状態への遷移が、
検出臨界距離が相対的に遠い方の移動体検出手段で移動体を検出した時点で、前記識別情報取得部と共に前記管理制御部を電力供給状態に遷移させ、
前記管理制御部において前記識別情報取得部で取得した識別情報が使用可能であると認証され、かつ、検出臨界距離が相対的に近い方の移動体検出手段で移動体を検出した場合に、前記インターフェイス部を電力供給状態に遷移させる請求項６記載の電力供給制御プログラム。
【請求項８】
前記識別情報取得部が、電力供給開始時に前記管理制御部との間で識別情報の通信に関わる機能を確立するための機能確立プログラムが実行され当該機能の確立後は前記識別情報を送受信可能な待機状態が維持される識別情報送受信制御部と、前記認証メディアが接触状態又は非接触状態で対峙されるヘッド部が設けられ当該ヘッド部に認証メディアが対峙されたとき少なくとも認証メディアに記憶された識別情報を読み取る識別情報読取部とを備え、前記識別情報送受信制御部及び前記識別情報読取部が、それぞれ個別に電力供給可能とされており、
前記制御対象に対する個別の電力供給状態又は電力遮断状態への遷移が、
検出臨界距離が相対的に遠い方の移動体検出手段で移動体を検出した時点で、前記識別情報取得部の前記識別情報読取部を電力供給状態に遷移させることで、前記機能確立プログラムを起動して前記管理制御部との間の識別情報の通信に関わる機能を確立し、
検出臨界距離が相対的に近い方の移動体検出手段で移動体を検出した時点で、前記識別情報取得部の前記識別情報読取部を電力供給状態に遷移させることで、前記認証メディアに記憶された識別情報を読み取り可能状態とし、
前記ヘッド部に前記認証メディアが対峙された時点で、前記管理制御部を電力供給状態に遷移させて前記識別情報に基づく認証処理を可能とし、
前記管理制御部における認証処理において使用可能であると認証され、かつ、前記検出臨界距離が相対的に近い方の移動体検出手段で移動体を検出した場合に、前記インターフェイス部を電力供給状態に遷移させる請求項６記載の電力供給制御プログラム。
【手続補正２】
【補正対象書類名】明細書
【補正対象項目名】０００９
【補正方法】変更
【補正の内容】
【０００９】
請求項１に記載の発明は、電力の供給を受けて特定の処理を実行する処理部、前記処理部の動作指示情報を受け付ける機能並びに前記処理部の動作状態情報を報知する機能を備えたインターフェイス部、認証メディアから使用者を特定する識別情報を取得する識別情報取得部を、相互に連携して管理する管理制御部と、前記処理部を使用する使用者を含む移動体が予め定めた領域に存在しているか否かを検出する移動体検出手段と、前記移動体検出手段の検出情報に基づいて、前記処理部、前記インターフェイス部、前記識別情報取得部、並びに前記管理制御部を含むそれぞれの制御対象に対して個別に電力供給状態又は電力遮断状態に遷移させると共に、前記制御対象の全てが電力遮断状態であるとき電力遮断状態から電力供給状態へ遷移させる最初の制御対象を前記識別情報取得部とする電力供給制御手段と、を有している。